(57)【要約】【課題】植生基盤に植栽された水生植物の根茎を食害生物の食害から保護して、植生浮島の水質改善効果を高めることである。【解決手段】抽水植物２１が植栽される植生基盤１２とフロート１３とを備えて閉鎖性水域１４に浮かべられる植生浮島１１において、植生基盤１２を繊維質構造体や多孔質構造体等の三次元網目構造体で構成する。植生基盤１２の底面にフレーム３２によりネット籠として構成された保護ネット３１を取り付け、植生基盤１２を貫通して当該植生基盤１２の底面から下方に向けて伸長する抽水植物２１の根茎２１ｂを、この保護ネット３１により覆って食害生物２２の食害から保護する。これにより、抽水植物２１の根茎２１ｂの発達が促進され、根茎２１ｂからのアレロパシー物質の放出量が増加して植生浮島１１の水質改善効果が高められる。【選択図】図１
2012152126.tif 000002
【特許請求の範囲】
【請求項１】
水生植物が植栽された植生基盤と該植生基盤に設けられたフロートとを備えた植生浮島における水生植物の根茎保護方法であって、
前記植生基盤を繊維質構造体・多孔質構造体等の三次元網目構造体で構成し、
前記植生基盤の下方に、前記植生基盤の底面から下方に伸長した前記水生植物の根茎を覆って食害生物の食害から前記水生植物の根茎を保護する保護ネットを設置したことを特徴とする植生浮島における水生植物の根茎保護方法。
【請求項２】
請求項１記載の植生浮島における水生植物の根茎保護方法において、前記保護ネットがフレームにより支持されて籠状に形成されていることを特徴とする植生浮島における水生植物の根茎保護方法。
【請求項３】
請求項１または２記載の植生浮島における水生植物の根茎保護方法において、前記保護ネットの網目の寸法が４ｍｍ〜２０ｍｍの範囲内であることを特徴とする植生浮島における水生植物の根茎保護方法。
【請求項４】
請求項１〜３のいずれか１項に記載の植生浮島における水生植物の根茎保護方法において、前記植生基盤の底面から前記保護ネットの底部までの距離が０．４ｍ〜０．９ｍの範囲内であることを特徴とする植生浮島における水生植物の根茎保護方法。
【請求項５】
湖沼等の閉鎖性水域に浮かべられて前記閉鎖性水域の水質を改善する植生浮島であって、
繊維質構造体・多孔質構造体等の三次元網目構造体で構成される植生基盤と、
前記植生基盤に植栽される水生植物と、
前記植生基盤に設けられるフロートと、
前記植生基盤の下方に設置され、前記植生基盤の底面から下方に伸長した前記水生植物の根茎を覆って食害生物の食害から前記水生植物の根茎を保護する保護ネットと、を有することを特徴とする植生浮島。
【発明の詳細な説明】
【技術分野】
【０００１】
本発明は、植生浮島の植生基盤に植栽された水生植物の根茎を、コイ、ブルーギル、アメリカザリガニ、ミドリガメ、ソウギョ等の食害動物（水生生物）による食害から保護して、植生浮島の水質改善機能を向上させる技術に関する。
【背景技術】
【０００２】
公園やゴルフ場内の湖沼や池、貯水池、農業用ため池、ダム湖等の閉鎖性水域の景観を変更、演出し、また、植物プランクトンの増殖等による水質汚濁を抑制するために、従来から、閉鎖性水域に植生浮島を設けることが提案されている。
【０００３】
植生浮島は人工浮島とも呼ばれるものであり、水生植物が植栽される植生基盤（植栽基盤）と植生基盤に取り付けられるフロートとを有している。植生基盤に植栽される水生植物としてはフサモ、イトモ、エビモ等の沈水植物やハナショウブ、カキツバタ等の抽水植物などが用いられる。植生基盤に沈水植物が植栽される場合には、沈水植物の茎葉や根の全てが水中に配置されるように植生基盤はフロートに吊り下げられた状態で水中に設置され、植生基盤に抽水植物が植栽される場合には、抽水植物の根茎が水中に配置されるとともに葉が水面上に突出するように植生基盤はフロートに支持された状態で水面近くの水深の浅い水中又は水面に設置される。
【０００４】
沈水植物の茎葉や抽水植物の根茎からは水中に向けてアレロパシー（Allelopathy）物質（アレロケミカル）が放出される。このアレロパシー物質は植物プランクトンに対してアレロパシー効果を生じ、これにより植物プランクトンの増殖が抑制される。すなわち、植生浮島は植生基盤に植栽された水生植物が水中にアレロパシー物質を放出することにより水質改善機能（水質浄化機能）を生じることになる。また、アレロパシー効果の他にも、抽水植物の根茎が水中に発達すると、植物プランクトンを捕食する動物プランクトンや根茎表面の微生物膜が増加し、また、水中の懸濁物質が根茎に付着して沈降が促進されて、植生浮島の水質改善機能がさらに高められるという効果がある。
【０００５】
一方、植生基盤に植栽された水生植物が、コイ、ブルーギル、アメリカザリガニ、ミドリガメ、ソウギョ等の食害生物による食害を受け、その生育が悪化すると、水生植物が水中に放出するアレロパシー物質の量が減少して、植生浮島の水質改善機能が低下することになる。したがって、植生浮島の水質改善機能を維持するためには、水生植物をその水域に生息する食害生物の食害から保護する必要がある。
【０００６】
例えば特許文献１には、水生植物が植栽される植生基盤（底面）の上方を網状、格子状の水生動物侵入防止部材で囲うことにより、植生基盤よりも上方に伸びた水生植物を水生動物の食害から保護するようにした技術が記載されている。
【先行技術文献】
【特許文献】
【０００７】
【特許文献１】特開２００８−０２３５０８号公報
【発明の概要】
【発明が解決しようとする課題】
【０００８】
しかしながら、特許文献１の技術では、水生植物が植栽される植生基盤（底面）よりも上方を網状、格子状の水生動物侵入防止部材で囲うようにしているので、水生植物の植生基盤よりも下方に発達した水生植物の根茎を保護することができないという問題があった。
【０００９】
特に、植生基盤に抽水植物を植栽した場合には、その根茎は植生基盤内に発達するとともに植生基盤の底面から下方に向けて水中に大きく伸長することになるが、当該水中に発達した根茎は水生動物侵入防止部材に囲まれることなく水中に露出することになる。そのため、ブルーギル等の捕食圧の強い食害魚類等が生息する水域においては、抽水植物の水中に伸長した根茎は、食害生物による食害を受けて水中に発達できなくなる。植生基盤内に発達した根茎は食害による影響は少ないが、基盤内の根茎だけでは、そこから放出されたアレロパシー物質は効率良く水と接触することができずに水中に放出されにくく、また、植生基盤内の微生物の作用によりアレロパシー物質が分解されてしまい、十分なアレロパシー物質の放出量を得ることができない。
【００１０】
このように、抽水植物の根茎が食害生物の食害を受けて減少すると、抽水植物の根茎が放出するアレロパシー物質の放出量が減少し、植生浮島の水質改善効果が低減することになる。また、根茎の発達が妨げられることにより抽水植物自体の生育が悪化するので、さらに根茎からのアレロパシー物質の放出量が減少することになる。
【００１１】
本発明の目的は、植生基盤に植栽された水生植物の根茎を食害生物の食害から保護して、植生浮島の水質改善効果を高めることにある。
【課題を解決するための手段】
【００１２】
本発明の植生浮島における水生植物の根茎保護方法は、水生植物が植栽された植生基盤と該植生基盤に設けられたフロートとを備えた植生浮島における水生植物の根茎保護方法であって、前記植生基盤を繊維質構造体・多孔質構造体等の三次元網目構造体で構成し、前記植生基盤の下方に、前記植生基盤の底面から下方に伸長した前記水生植物の根茎を覆って食害生物の食害から前記水生植物の根茎を保護する保護ネットを設置したことを特徴とする。
【００１３】
本発明の植生浮島における水生植物の根茎保護方法は、前記保護ネットがフレームにより支持されて籠状に形成されていることを特徴とする。
【００１４】
本発明の植生浮島における水生植物の根茎保護方法は、前記保護ネットの網目の寸法が４ｍｍ〜２０ｍｍの範囲内であることを特徴とする。
【００１５】
本発明の植生浮島における水生植物の根茎保護方法は、前記植生基盤の底面から前記保護ネットの底部までの距離が０．４ｍ〜０．９ｍの範囲内であることを特徴とする。
【００１６】
本発明の植生浮島は、湖沼等の閉鎖性水域に浮かべられて前記閉鎖性水域の水質を改善する植生浮島であって、繊維質構造体・多孔質構造体等の三次元網目構造体で構成される植生基盤と、前記植生基盤に植栽される水生植物と、前記植生基盤に設けられるフロートと、前記植生基盤の下方に設置され、前記植生基盤の底面から下方に伸長した前記水生植物の根茎を覆って食害生物の食害から前記水生植物の根茎を保護する保護ネットと、を有することを特徴とする。
【発明の効果】
【００１７】
本発明によれば、植生基盤の底面から下方に向けて水中に伸長した水生植物の根茎を保護ネットにより覆って食害生物の食害から保護するようにしたので、水生植物の根茎を水中に十分に発達させることができる。したがって、水生植物の根茎からアレロパシー物質を効率良く放出させて、植物プランクトンの増殖抑制効果つまり植生浮島の水質改善効果を高めることができる。
【００１８】
また、水生植物の根茎を水中に発達させることができるので、植物プランクトンを捕食する動物プランクトンや根茎表面の微生物膜を増加させるとともに水中の懸濁物質を根茎に付着させて沈降を促進させることにより、この植生浮島の水質改善機能をさらに高めることができる。
【００１９】
さらに、根茎を保護することにより、植生基盤に植栽された水生植物の生育を保護することもできる。
【図面の簡単な説明】
【００２０】
【図１】本発明の一実施の形態である植生浮島における水生植物の根茎保護方法の概要を示す説明図である。
【図２】図１に示す保護ネットの詳細を示す斜視図である。
【図３】沈水植物の根茎の発達状態を示す図である。
【図４】（ａ）、（ｂ）はそれぞれ図２に示す保護ネットの変形例を示す斜視図である。
【発明を実施するための形態】
【００２１】
本発明は、水生植物が植栽される植生基盤を備えた植生浮島において、植生基盤の下方に保護ネットを設置し、この保護ネットにより植生基盤の底面から下方に向けて伸長する水生植物の根茎を覆ってコイ、ブルーギル、アメリカザリガニ、ミドリガメ、ソウギョ等の食害生物の食害から保護し、もって植生浮島の水質改善機能を向上させるようにした植生浮島における水生植物の根茎保護方法である。
【００２２】
以下、本発明の実施の形態を図面に基づいて詳細に説明する。
【００２３】
図１に示すように、本発明の一実施の形態である植生浮島１１は植生基盤１２とフロート１３とを備えており、水質改善のために、公園やゴルフ場内の湖沼や池、貯水池、農業用ため池、ダム湖等の閉鎖性水域１４に浮かべられる。
【００２４】
植生基盤１２は、例えばポリエチレンや塩化ビニル等の繊維により形成された合成繊維マット、ヤシ繊維等により形成された天然繊維マット等の繊維質構造体（繊維マット）や、軽量多孔質コンクリートやスポンジ等の多孔質構造体など、内部に三次元の網目状の隙間（空間）を備えた三次元網目構造体により、所定の厚みを有する矩形の板状に形成されている。植生基盤１２の外周部にはアングルやＦＲＰ（fiber reinforced plastics）等により形成されたフレーム１５が取り付けられ、このフレーム１５により植生基盤１２の形状が保持されている。
【００２５】
フロート１３は断面円形且つ中空の棒状に形成されており、植生基盤１２に対応して必要な浮力が得られる数量（図１中は２本のみ記載）が配置されている。フロート１３は閉鎖性水域１４の水面に浮かべられ、植生基盤１２はフレーム１５に接続されたフラットバーやロープ等の吊り下げ部材１６によりフロート１３に吊り下げられて、閉鎖性水域１４の水面に近い所定深度の水中又は水面に設置されている。
【００２６】
なお、フロート１３としては中空のものに限らず、発泡スチロール等により形成された中実のものを用いるようにしてもよい。また、フロート１３は、吊り下げ部材１６により植生基盤１２を吊り下げる構造に限らず、植生基盤１２の内部又は外部にフロート１３を設け、あるいは植生基盤１２のフレーム１５に、直接、フロート１３を取り付けるなど、フロート１３により植生基盤１２を閉鎖性水域１４の所定深度に配置することができる構造であれば他の構造を採用してもよい。
【００２７】
植生基盤１２の上面には水生植物である抽水植物２１が植栽されている。この抽水植物２１は植生基盤１２上で生育し、抽水植物２１の生育に伴い、その茎葉２１ａは植生基盤１２の上面から上方に向けて伸びて水上に発達する。一方、抽水植物２１の根茎２１ｂは、三次元網目構造体で構成された植生基盤１２の内部に発達するとともに、植生基盤１２を貫通して植生基盤１２の底面から下方に伸長して水中に発達する。
【００２８】
抽水植物２１の根茎２１ｂが水中で発達すると、その根茎２１ｂから水中に向けてアレロパシー（allelopathy）物質（アレロケミカル）が放出される。水中に放出されたアレロパシー物質は植物プランクトンに対するアレロパシー効果を生じ、このアレロパシー効果により、植生浮島１１は植物プランクトンの増殖を抑制して水質改善機能（水質浄化機能）を生じることになる。また、抽水植物２１の根茎２１ｂが水中に発達すると、植物プランクトンを捕食する動物プランクトンや根茎表面の微生物膜が増加し、また、水中の懸濁物質が根茎２１ｂに付着して沈降が促進されて、植生浮島１１の水質改善機能がさらに高められる。
【００２９】
なお、本実施の形態においては、植生浮島１１として断面円形のフロート１３にフレーム１５を備えた植生基盤１２を吊り下げた構造のものを用いているが、これに限らず、フレーム１５の有無、フロート１３の形状等に拘わらず、三次元網目構造体に形成された植生基盤１２にフロート１３を設け、この植生基盤１２に植栽された抽水植物２１の根茎２１ｂが植生基盤１２の底面から下方に向けて水中に発達することができる構造のものであればよい。
【００３０】
植生基盤１２の下方には、植生基盤１２に植栽された抽水植物２１の根茎２１ｂを食害生物２２による食害から保護するために、保護ネット３１が設置されている。
【００３１】
図２に示すように、保護ネット３１は１２本の棒状部材３２ａを立方体形状に組んだフレーム３２に貼り付けられ、当該フレーム３２の４つの側面側開口部と底面側開口部とを覆っている。フレーム３２の上面側は保護ネット３１が設けられずに開口しており、これにより、保護ネット３１はフレーム３２に支持されて籠状に形成されている。つまり、図示する場合では、保護ネット３１はネット籠として構成されている。
【００３２】
なお、棒状部材３２ａは、塩化ビニル、アルミニウム合金、鋼材等により形成された中空パイプや中実の棒材等により形成されている。
【００３３】
保護ネット３１の開口部つまりフレーム３２の開口部側は、植生基盤１２の底面に対応した形状、寸法に形成されている。保護ネット３１はその開口部側のフレーム３２を植生基盤１２のフレーム１５に隙間が生じないように当接させ、この状態でインシュロックや番線等の締結部材（不図示）を用いて植生基盤１２のフレーム１５に固定されている。これにより、保護ネット３１は、上方側の開口部が植生基盤１２により閉塞された状態となって植生基盤１２の底面に取り付けられ、植生基盤１２の下方に設置される。
【００３４】
なお、植生基盤１２にフレーム１５が設けられない場合には、保護ネット３１をフレーム３２において、直接、植生基盤１２に固定すればよい。
【００３５】
本実施の形態においては、植生基盤１２の下方に設置された保護ネット３１のその開口部からの深さ、つまり植生基盤１２の底面に取り付けられた状態における当該底面から保護ネット３１の底面（底部、つまり植生基盤１２の底面から下方に一番離れた部分）までの距離Ｌは、Ｌ＝０．４ｍ〜０．９ｍの範囲に設定されている。
【００３６】
植生基盤１２の底面から保護ネット３１の底面（底部）までの距離Ｌを設定するにあたり、食害生物２２がいない条件の大型水槽内に植生浮島１１と同様の条件で植生基盤１２に抽水植物２１を植栽し、その根茎２１ｂの発達状況を調査した。その結果、図３に示すように、植生基盤１２に植栽された抽水植物２１の根茎２１ｂは、植生基盤１２の底面から下方に向けて０．４ｍ以内の範囲でその密度が高くなり、また、多くの抽水植物２１において、根茎２１ｂは植生基盤１２の底面から下方に向けて０．９ｍまでの範囲で発達することが解った。この結果から、水中に発達した抽水植物２１の根茎２１ｂを保護するためには、植生基盤１２の底面から保護ネット３１の底面（底部）までの距離ＬをＬ＝０．４ｍ〜０．９ｍの範囲に設定する必要があると判断した。
【００３７】
植生基盤１２の底面から保護ネット３１の底面（底部）までの距離ＬをＬ＝０．４ｍ〜０．９ｍの範囲に設定することにより、保護ネット３１の大きさを最小限の大きさにしつつ、植生基盤１２の底面から下方に向けて発達する抽水植物２１の根茎２１ｂの大部分を保護ネット３１の内部に収容させて、根茎２１ｂの大部分を保護ネット３１により食害生物２２の食害から保護することができる。
【００３８】
保護ネット３１の網目の寸法（メッシュ、目合）Ｗは、Ｗ＝４ｍｍ〜２０ｍｍの範囲に設定されている。保護ネット３１の網目の寸法Ｗを４ｍｍ以下にすると、水中の懸濁物等が保護ネット３１の網目に目詰まり、保護ネット３１の内側つまり保護ネット３１に収容された根茎２１ｂ付近の水の流れが著しく悪化するおそれがある。また、保護ネット３１の網目の寸法Ｗが４ｍｍであれば、ブルーギルの稚魚をはじめ、大部分の食害生物２２の保護ネット３１の内側への侵入を防止することができる。一方、保護ネット３１の網目の寸法Ｗが２０ｍｍまでであれば、保護ネット３１の内側に侵入できるブルーギル等の食害生物２２も小型であるので、根茎２１ｂが受ける食害の影響が許容できる程度に小さくなる。これらの点を考慮し、本実施の形態においては、保護ネット３１の網目の寸法ＷをＷ＝４ｍｍ〜２０ｍｍの範囲に設定するようにしている。
【００３９】
このような保護ネット３１を植生基盤１２の下方に設置することにより、植生基盤１２の下方の所定の領域が保護ネット３１により区画されるので、植生基盤１２に植栽された抽水植物２１が生育し、その根茎２１ｂが植生基盤１２の底面から下方に向けて水中に発達しても、保護ネット３１により根茎２１ｂを覆って、食害生物２２による食害から根茎２１ｂを保護することができる。つまり、保護ネット３１により、抽水植物２１の根茎２１ｂに大きな食害を与えるような大型の食害生物２２が抽水植物２１の根茎２１ｂが発達する植生基盤１２の下方の領域に侵入することが防止されるので、抽水植物２１の根茎２１ｂを食害生物２２による食害から保護することができるのである。
【００４０】
このように、本発明では、植生基盤１２の下方に保護ネット３１を設置し、植生基盤１２の底面から下方に向けて水中に伸長した抽水植物２１の根茎２１ｂを保護ネット３１により覆うようにしたので、抽水植物２１の根茎２１ｂを食害生物２２の食害から保護して、その根茎２１ｂを水中に十分に発達させることができる。抽水植物２１の根茎２１ｂを保護して水中に十分に発達させることができるので、植生基盤１２に植栽した抽水植物２１の生育を保護することもできる。
【００４１】
また、本発明では、保護ネット３１により抽水植物２１の根茎２１ｂを食害生物２２の食害から保護して水中に十分に発達させることができるので、抽水植物２１の根茎２１ｂからアレロパシー物質を効率良く放出させ、植物プランクトンの増殖抑制効果等を高めて、植生浮島１１の水質改善効果を高めることができる。
【００４２】
さらに、抽水植物２１の根茎２１ｂを水中に十分に発達させることにより、植物プランクトンを捕食する動物プランクトンや根茎表面の微生物膜を増加させるとともに、水中の懸濁物質を根茎２１ｂに付着させて沈降を促進させて、この植生浮島１１の水質改善機能をさらに高めることができる。
【００４３】
図４（ａ）、（ｂ）はそれぞれ図２に示す保護ネットの変形例を示す斜視図である。
【００４４】
図２に示す場合では、保護ネット３１は立方体形状に形成されたフレーム３２により上面側が開口した箱形のネット籠として構成され、その開口部において植生基盤１２の底面に固定される構造となっている。
【００４５】
これに対して、図４（ａ）に示す保護ネット４１にはフレーム３２が設けられていない。この場合、保護ネット４１はフレーム３２に支持されることなく、その上面側の開口部において、直接、植生基盤１２に取り付けられる。このように、図４（ａ）に示す保護ネット４１にはフレーム３２が設けられないので、植生基盤１２に保護ネット４１を取り付ける前後において、当該保護ネット４１を小さく折り畳むことができる。したがって、図４（ａ）に示す保護ネット４１は、図２に示すようにフレーム３２を用いてネット籠に構成された保護ネット３１に比べて、その運搬や設置作業が容易である。
【００４６】
図４（ｂ）に示す保護ネット５１には、その上面側つまり開口部側の縁部分と底面側の縁部分とにのみ４つの棒状部材５２ａを矩形に組んだフレーム５２を設けるようにしている。これらの棒状部材５２ａは、フレーム３２の棒状部材３２ａと同様に、塩化ビニル、アルミニウム合金、鋼材等により形成された中空パイプや中実の棒材等により形成される。
【００４７】
この場合、各フレーム５２の間には高さ方向のフレームは設けられないので、植生基盤１２に取り付けられる前後において、保護ネット５１を高さ方向に畳むことができる。したがって、図４（ｂ）に示す保護ネット５１も、図２に示すネット籠に構成された保護ネット３１に比べて運搬や設置作業が容易である。
【００４８】
なお、図４に示す場合においても、植生基盤１２の底面から保護ネット５１の底部までの距離Ｌや保護ネット５１の網目の寸法Ｗは、図２に示す保護ネット３１の場合と同様に設定される。
【００４９】
本発明は前記実施の形態に限定されるものではなく、その要旨を逸脱しない範囲で種々変更可能であることはいうまでもない。
【００５０】
例えば、前記実施の形態においては、植生基盤１２に植栽する水生植物として抽水植物２１を用いるようにしているが、これに限らず、その根茎が三次元網目構造体により形成された植生基盤１２の内部を貫通し、その底面から下方に向けて水中に発展するものであれば、植生基盤１２に植栽する水生植物として沈水植物や浮水植物を用いるようにしてもよい。
【００５１】
また、前記実施の形態においては、保護ネット３１、４１，５１は４つの側面部分と１つの底面部分とを備えた形状にされているが、これに限らず、植生基盤１２の下方に設置されて抽水植物２１の根茎２１ｂを覆うことができる形状であれば、例えば半球面形状など、他の形状であってもよい。
【符号の説明】
【００５２】
１１  植生浮島
１２  植生基盤
１３  フロート
１４  閉鎖性水域
１５  フレーム
１６  吊り下げ部材
２１  抽水植物（水生植物）
２１ａ  茎葉
２１ｂ  根茎
２２  食害生物
３１  保護ネット
３２  フレーム
３２ａ  棒状部材
４１，５１  保護ネット
５２  フレーム
５２ａ  棒状部材
Ｌ  距離
Ｗ  網目の寸法
【図１】
2012152126.tif 000003
【図２】
2012152126.tif 000004
【図３】
2012152126.tif 000005
【図４】
2012152126.tif 000006